(57)【要約】【課題】  全体構成を簡素化しながら電線被膜を損傷することなく曲げることができ、かつ、曲げ位置から電線先端位置の寸法を安定化させ、更に、電線の径の変更にも容易に対処することができる。【解決手段】  一対のハンドル１、２を開閉自在に枢支連結する。一方のハンドル１に導入用ガイド３を設ける。他方のハンドル２に曲げ用ガイド４を設ける。両ハンドル１、２が離れている開状態で導入用ガイド３及び曲げ用ガイド４に沿って導入された電線Ｋが両ハンドル１、２を近接させる曲げ動作によって曲げられる電線ベンダーである。一対のハンドル１、２を枢支連結するための枢軸５に導入用ガイド３が設けられたハンドル１を回転自在に挿通する。枢軸５に曲げ用ガイド４が設けられたハンドル２を固定する。枢軸５を軸芯方向に延出して曲げ用ガイド４と対向して電線Ｋを挟持する円柱状の曲げ用シュー８を形成する。【選択図】        図１
2006130550.tif 000002
【特許請求の範囲】
【請求項１】
一対のハンドルを開閉自在に枢支連結し、一方のハンドルに導入用ガイドを設け、他方のハンドルに曲げ用ガイドを設け、両ハンドルが離れている開状態で導入用ガイド及び曲げ用ガイドに沿って導入された電線が両ハンドルを近接させる曲げ動作によって曲げられる電線ベンダーであって、
一対のハンドルを枢支連結するための枢軸に対して導入用ガイドを設けた一方のハンドルを回転自在とし、曲げ用ガイドを設けた他方のハンドルを枢軸に固定し、枢軸を軸芯方向に延出して曲げ用ガイドと対向して電線を挟持する円柱状の曲げ用シューを形成していることを特徴とする電線ベンダー。
【請求項２】
曲げ用シューを備えたハンドルに曲げ用シューと曲げ用ガイドにて挟持された位置を零位置とする寸法目盛を形成していることを特徴とする請求項１記載の電線ベンダー。
【請求項３】
電線の先端が当接するストッパーを寸法目盛に沿って移動自在に設けていることを特徴とする請求項２記載の電線ベンダー。
【請求項４】
曲げ用シューに対する曲げ用ガイドの位置を電線の直径に応じて変更可能に構成していることを特徴とする請求項１記載の電線ベンダー。
【発明の詳細な説明】
【技術分野】
【０００１】
本発明は、電線ベンダーに関し、詳しくは、全体構成を簡素化して作業現場で使いやすくしながら電線被膜を損傷することなく曲げることができ、かつ、曲げ位置から電線先端位置の寸法を安定化させ、更に、電線の径の変更にも容易に対処しようとする技術に係るものである。
【背景技術】
【０００２】
従来、図５（ａ）（ｂ）に示すように、一対のハンドル１、２を開閉自在に枢支連結し、一方のハンドル１に導入用ガイド３’を設け、他方のハンドル２に曲げ用ガイド４’を設け、両ハンドル１、２が離れている開状態で導入用ガイド３’及び曲げ用ガイド４’に沿って導入されたパイプＰ、チューブ或いは電線が両ハンドル１、２を近接させる曲げ動作によって曲げられるベンダーＡ’においては、曲げ用ガイド４’をパイプＰ、チューブ或いは電線の外面を摺接させてパイプＰ、チューブ或いは電線を弧状の導入用ガイド３’に沿わせて曲げるものである。（例えば、特許文献１参照）
上記特許文献１に示されるベンダーＡ’においては、パイプＰ、チューブ或いは電線の被膜を曲げ用ガイド４’が曲げ力に相当する強い力で擦るのであり、例えば、電線を曲げる場合に電線被膜を損傷するという致命的な問題がある。
【０００３】
更に、上記特許文献１に示されるベンダーＡ’においては、導入用ガイド３’を固定側シューとして円弧状に形成するとともに弧状の溝を形成し、また、曲げ用ガイド４’に溝を形成し、更に、パイプＰ、チューブ或いは電線を押さえてこれらの繰り出しを阻止するストッパーＳ等を必要として全体構造が複雑となるという問題がある。
【０００４】
加えて、曲げようとするパイプＰ、チューブ或いは電線の直径が変更される場合には、対処することができなく、多様な直径に対応する多数のベンダーＡ’…を必要とするのである。
【０００５】
ところで、図４に示す配電盤内の配線において、機器９、１０間に３相の電線Ｋを配線する場合（例えば、高出力モータの起動用のスターデルタ配線等）で、電線ＫとしてＩＶ線やＣＶ線Ｋａのように、芯線ａ…をポリエステルの中間被膜ｂに被覆し、更に外被膜ｃにて被覆していて、耐熱仕様で硬くて曲げるのに相当の力を要する太い電線Ｋを使用するのであり、既に取り付けが終わっていて機器９、１０間の取り合い寸法が決められている状況では、電線Ｋの曲げ角度、特に、電線水平部Ｋｂから機器９、１０の端子９ａ、１０ａまでのリード寸法Ｘが正確に要求されるものであり、このリード寸法Ｘが不揃いの場合には、３相の３本の電線ＫをバンドＢで結束する場合に、機器９、１０の端子９ａ、１０ａを壊すことがあり、配線現場では、多大の労力と配慮を要し、苦慮しているものである。
【特許文献１】特開平１１−２２６６５４号公報
【発明の開示】
【発明が解決しようとする課題】
【０００６】
本発明は上記の従来の問題点に鑑みて発明したものであって、全体構成を簡素化しながら電線被膜を損傷することなく曲げることができ、かつ、曲げ位置から電線先端位置の寸法を安定化させ、更に、電線の径の変更にも容易に対処することができる電線ベンダーを提供することを課題とするものである。
【課題を解決するための手段】
【０００７】
請求項１の発明においては、一対のハンドル１、２を開閉自在に枢支連結し、一方のハンドル１に導入用ガイド３を設け、他方のハンドル２に曲げ用ガイド４を設け、両ハンドル１、２が離れている開状態で導入用ガイド３及び曲げ用ガイド４に沿って導入された電線Ｋが両ハンドル１、２を近接させる曲げ動作によって曲げられる電線ベンダーであって、一対のハンドル１、２を枢支連結するための枢軸５に対して導入用ガイド３を設けた一方のハンドル１を回転自在とし、曲げ用ガイド４を設けた他方のハンドル２を枢軸５に固定し、枢軸５を軸芯方向に延出して曲げ用ガイド４と対向して電線Ｋを挟持する円柱状の曲げ用シュー８を形成していることを特徴とするものである。
【０００８】
このような構成によれば、導入用ガイド３を設けたハンドル１を固定側とし、曲げ用ガイド４を設けたハンドル２を可動側として両ハンドル１、２を近接させる曲げ動作時に、枢軸５は可動側のハンドル２に固定されているから、枢軸５は可動側のハンドル２及び曲げ用ガイド４と共に固定側のハンドル１に対して回転するのであり、したがって、枢軸５を延出した曲げ用シュー８に対して曲げ用ガイド３は回転することがなく、曲げ用シュー８と曲げ用ガイド４とで電線Ｋを挟持したまま曲げ動作がおこなわれることになり、電線Ｋは固定側の導入用ガイド３に拘束することなく滑らせるように曲げることができるのであり、電線Ｋの被膜を擦ることなく被膜に傷を付けることなく良好に曲げることができる。
しかも、電線Ｋは曲げ用ガイド４と曲げ用シュー８とで挟持されて曲げられるから、電線Ｋの挟持位置が変位することがなく、したがって、挟持位置から電線Ｋの先端部までの距離を一定にして電線Ｋを曲げることができ、耐熱性を高くして硬い電線Ｋであっても、寸法を揃えて曲げることができ、配電盤に取り付けられた機器９、１０間への配線を容易に整然とおこなえ、曲げ寸法の不揃いを修正する際に、不測に機器９、１０の端子９ａ、１０ａを壊すようなことがない。
更に、電線ベンダーＡの構成において、一対のハンドル１、２を枢支連結する枢軸５を可動側のハンドル２に固定するとともに枢軸５を延出して円柱状の曲げ用シュー８を形成ことで、枢軸５と曲げ用シュー８を兼用化できて簡単な構成とすることができ、軽量、小型化が図れ、使いやすく、現場作業が容易となる。
【０００９】
請求項２の発明によれば、曲げ用シュー８を備えたハンドル２に曲げ用シュー８と曲げ用ガイド４にて挟持された位置を零位置とする寸法目盛６を形成していることを特徴とするものである。
【００１０】
このような構成によれば、寸法目盛６を使用することで、電線Ｋの曲げ位置から先端までの寸法を望む寸法にでき、機器９、１０間の配線に際して、一層、整然とかつ曲げ寸法を修正する必要がなく、寸法の修正に伴って機器９、１０の端子９ａ、１０ａを壊すようなことがない。
【００１１】
請求項３の発明によれば、電線Ｋの先端が当接するストッパー７を寸法目盛６に沿って移動自在に設けていることを特徴とするものである。
【００１２】
このような構成によれば、移動自在なストッパー７を使用することで、電線Ｋの曲げ位置から先端までの種々の寸法をそれぞれ正確に出すことができる。
【００１３】
請求項４の発明によれば、曲げ用シュー８に対する曲げ用ガイド４の位置を電線Ｋの直径に応じて変更可能に構成していることを特徴とするものである。
【００１４】
このような構成によれば、曲げ用シュー８に対する曲げ用ガイド４の距離を変えることで、曲げる電線Ｋの直径が変わる仕様の変更にも容易に対処することができる。
【発明の効果】
【００１５】
要するに本発明は、全体構成を簡素化しながら電線被膜を損傷することなく曲げることができ、かつ、曲げ位置から電線先端位置の寸法を安定化させ、現場での曲げ作業及び配線作業が容易となる。
【発明を実施するための最良の形態】
【００１６】
以下、本発明を添付図面に示す実施形態に基づいて説明する。
【００１７】
図１（ａ）は開状態を示し、同図（ｂ）は曲げ動作を示す斜視図であり、図２（ａ）は部分正断面図、（ｂ）は部分側断面図である。
【００１８】
電線ベンダーＡは、一対のハンドル１、２を枢軸５にて開閉自在に枢支連結し、一方のハンドル１に導入用ガイド３を設け、他方のハンドル２に曲げ用ガイド４を設け、両ハンドル１、２が略直角に交叉するように離れている開状態で、導入用ガイド３及び曲げ用ガイド４に沿って導入された電線Ｋを両ハンドル１、２を近接させる曲げ動作によって曲げるものである。この場合、導入用ガイド３を設けた一方のハンドル１を例えば左手で持って固定側とし、曲げ用ガイド４を設けた他方のハンドル２を例えば右手で持って曲げ動作をおこなう可動側となる。
【００１９】
このような電線ベンダーＡにおいて、本発明は、全体構成を簡素化しながら電線被膜を損傷することなく曲げることができ、かつ、曲げ位置から電線先端位置の寸法を安定化させ、更に、電線の径の変更にも容易に対処することができるようにしている。以下、詳述する。
【００２０】
図１及び図２（ａ）に示すように、一対のハンドル１、２のそれぞれにベース板１１、１２を取り付け、両ベース板１１、１２を枢軸５にて枢支連結して両ハンドル１、２を開閉自在に連結している。一方のハンドル１のベース板１１に断面Ｌ字状の導入用ガイド３を取り付け、他方のハンドル２のベース板１２に断面Ｌ字状の曲げ用ガイド４を取り付け、図１（ａ）に示すように、両ハンドル１、２を略９０度に開く開状態において、平板状の導入用ガイド３と曲げ用ガイド４が略面一になり、両ガイド３、４に沿って電線Ｋを安定的に導入できるようにしている。この場合、例えば導入用ガイド３の後端縁に曲げ用ガイド４の先端縁が当接するようにして、両ハンドル１、２の完全開状態を得るようにすることで、一層、電線ベンダーＡが使いやすくなる。
【００２１】
図２（ａ）（ｄ）に示すように、枢軸５の先端部に小径で右ねじの雄ねじ部１４を形成し、雄ねじ部１４に続いて雄ねじ部１４よりやや大径な円柱状の回転軸受部１５を形成し、回転軸受部１５に続いて回転軸受部１５より大径で左ねじの固定用部１６を形成している。左ねじの固定用部１６よりも大径な段部３０を形成し、枢軸５を延出してこの延出部分を円柱状の曲げ用シュー８としている。曲げ用シュー８は曲げ用ガイド４に電線Ｋの直径に相当する間隔を隔てていて、曲げ用シュー８と曲げ用ガイド４とで電線Ｋを挟持できるようにしている。曲げ用シュー８の外面は鼓状の弧面１３が形成されて電線Ｋを曲げ用ガイド４とで安定して挟持できるようにしている。この場合、曲げ用ガイド４の表面にゴムライニングのような滑止め材を付設すると、電線Ｋを滑らせないで挟持できてよい。
【００２２】
固定側となる一方のハンドル１のベース板１１に回転孔１７を形成して枢軸５の回転軸受部１５が回転自在に挿通されている。可動側となる他方のハンドル２のベース板１２に左ねじ孔１８を形成して枢軸５に左ねじにて形成した固定用部１６をねじ込んでいる。枢軸５の先端の雄ねじ部１４にワッシャを介してナット１９を螺合していて固定側のハンドル１のベース板１１の抜け止めを図っている。
【００２３】
このように、枢軸５の左ねじの固定用部１６に可動側となる他方のハンドル２の左ねじ孔１８が螺合しているから、可動側のハンドル２を右手で持って左手で持っている固定側の一方のハンドル１側に右回転する閉じ動作（曲げ動作）において、左ねじ嵌合だから、可動側のハンドル２が枢軸５の段部３０に当接して可動側のハンドル２と枢軸５とが一体的に回転して、実質的に可動側のハンドル２に枢軸５が一体化されるのである。この場合、可動側のハンドル２に固定された枢軸５は固定側のハンドル１の回転孔１７において回転する。
【００２４】
このような構成によれば、導入用ガイド３を設けたハンドル１を左手で持って固定側とし、曲げ用ガイド４を設けたハンドル２を右手でもって可動側として固定側のハンドル１に近接させる曲げ動作において、枢軸５は可動側のハンドル２に固定されていて、枢軸５は可動側のハンドル２及び曲げ用ガイド４と共に固定側のハンドル１に対して回転するのであり、このように、枢軸５より延出した曲げ用シュー８に対して曲げ用ガイド３は回転することがなく、曲げ用シュー８と曲げ用ガイド４とで電線Ｋを挟持したまま曲げ動作がおこなわれることになり、電線Ｋは固定側の導入用ガイド３に拘束することなく滑らせるように送られて曲げることができるのであり、電線Ｋの被膜を擦ることなく被膜に傷を付けることなく良好に曲げることができるのである。
ところで、電線Ｋは曲げ用ガイド４と曲げ用シュー８とで挟持されて曲げられるから、電線Ｋの挟持位置が変位することがなく、したがって、挟持位置から電線Ｋの先端部までの距離を一定にして電線Ｋを曲げることができるのであり、耐熱仕様で硬い電線Ｋであっても、寸法を揃えて曲げることができ、配電盤に取り付けられた機器９、１０間への配線を容易に整然とおこなえ、曲げ寸法の不揃いを修正する際に、不測に機器９、１０の端子９ａ、１０ａを壊すようなことがない。
更に、電線ベンダーＡの構成において、一対のハンドル１、２を枢支連結する枢軸５を可動側のハンドル２に固定するとともに枢軸５を延出して円柱状の曲げ用シュー８を形成ことで、枢軸５と曲げ用シュー８を兼用化できて簡単な構成とすることができ、軽量、小型化が図れ、使いやすく、現場作業が容易となる。
【００２５】
図１（ａ）及び図２（ａ）に示すように、可動側のハンドル２のベース板１２に凹溝２０を形成し、曲げ用ガイド４の受板２５に凸条２１及び長孔２３を形成し、長孔２３に挿通されてベース板１２にねじ込まれたセットビス２２を緩め、ベース板１２の凹溝２０に対して受板２５の凸条２１をスライド移動させることで、曲げ用シュー８に対する曲げ用ガイド４の位置を電線Ｋの直径に応じて変更可能に構成している。同様な凹溝２０及び凸条２１を備えたスライド構成が固定側のハンドル１のベース板１１と導入用ガイド３の受板２６との間に形成されていて、曲げ用シュー８に対する導入用ガイド３の位置を電線Ｋの直径に応じて変更可能に構成している。符号２４は電線径の目盛である。
【００２６】
このような構成によれば、曲げ用シュー８に対する曲げ用ガイド４の距離を変えることで、曲げる電線Ｋの直径が変わる仕様の変更にも容易に対処することができる。この場合、曲げ用ガイド４と同様に導入用ガイド３の位置を調節すると、電線Ｋの導入が容易となる。
【００２７】
図３は他の実施の形態を示していて、曲げ用シュー８を備えたハンドル２に曲げ用シュー８と曲げ用ガイド４にて挟持された位置を零位置とする寸法目盛６を形成している。
【００２８】
このような構成によれば、寸法目盛６を使用することで、電線Ｋの曲げ位置から先端までの寸法を望む寸法にでき、機器９、１０間の配線に際して、一層、整然とかつ曲げ寸法を修正する必要がなく、寸法の修正に伴って機器９、１０の端子９ａ、１０ａを壊すようなことがない。
【００２９】
更に、可動側のハンドル２には電線Ｋの先端が当接するストッパー７を寸法目盛６に沿って移動自在に設けている。具体的には、曲げ用ガイド４の受板２５にビス２７をねじ込み、ストッパー７を備えたスライド板２８の長孔２９において、緩められたビス２７に対してスライド板２８を移動させてストッパー７の位置を変更自在にしたものである。
【００３０】
このような構成によれば、移動自在なストッパー７を使用することで、電線Ｋの曲げ位置から先端までの種々の寸法をそれぞれ正確に出すことができる。
【００３１】
ところで、本発明の電線ベンダーＡにて電線Ｋを曲げる場合に、共に平板状となる導入用ガイド３と曲げ用ガイド４が略直交するようになって曲げ用シュー８との協同で電線Ｋを略直角に曲げるのであるが、曲げられる電線Ｋのスプリングバックによって曲げ角が鈍角となって略直角に曲げることが難しくなるが、この場合、導入用ガイド３と曲げ用ガイド４が交叉する位置を越えてまで両ハンドル１、２を回動できるようにして、電線Ｋのスプリングバックを見込んで鋭角にまるまで曲げるようにするとよい。
【００３２】
また、本発明の電線ベンダーＡにおいては、電線Ｋを大きな弧状に曲げることもできるものである。大略は以下の工程となる。
【００３３】
まず、両ハンドル１、２が閉じられる手前の曲げ中間位置で曲げ動作を止め、その後、両ハンドル１、２を開き、先の曲げ動作における電線Ｋの挟持位置を電線Ｋの先端側に送り、次に、先の電線Ｋの挟持位置の手前位置を挟持位置として曲げ動作をおこない、このような中間曲げ動作を繰り返すことで、電線Ｋを大きな弧状に曲げることができる。
【００３４】
尚、本発明の実施の形態においては、枢軸５の左ねじの固定用部１６に、可動側のハンドル２の左ねじ孔１８を螺合して、可動側のハンドル２を固定側のハンドル１に引き寄せる時計回りの右回転で左めじが閉まるようにすることで、枢軸５と可動側のハンドル２を実質的に一体化しているが、枢軸５と可動側のハンドル２を一体化する構成は、ビス止め、溶接等があるが、本発明の精神を逸脱しない範囲で種々変更することができるものである。また、本実施の形態における種々の構成においても同様である。
【図面の簡単な説明】
【００３５】
【図１】本発明の実施の一形態を示し、（ａ）は開状態を示し、（ｂ）は曲げ動作を示す斜視図である。
【図２】（ａ）は部分正断面図、（ｂ）は部分側断面図、（ｃ）は部分平面図、（ｄ）は部分拡大断面図である。
【図３】同上の他の実施の形態の部分斜視図である。
【図４】（ａ）は機器間の配線を示す斜視図、（ｂ）は電線の断面図である。
【図５】（ａ）（ｂ）は従来例の動作を示し、一部破断した説明図である。
【符号の説明】
【００３６】
１  一方のハンドル
２  他方のハンドル
３  導入用ガイド
４  曲げ用ガイド
５  枢軸
６  寸法目盛
７  ストッパー
８  曲げ用シュー
Ｋ  電線
【図１】
2006130550.tif 000003
【図２】
2006130550.tif 000004
【図３】
2006130550.tif 000005
【図４】
2006130550.tif 000006
【図５】
2006130550.tif 000007